(57)【要約】【課題】  本発明は、偽造防止効果を必要とするセキュリティ印刷物である銀行券、パスポート、有価証券、身分証明書、カード、通行券等の貴重印刷物の分野において、観察角度によって異なる画像が確認されることによって真偽判別を可能とする印刷物に関するものである。【解決手段】  印刷画像は、第１の印刷画像と第２の印刷画像を有し、第１の印刷画像は、基材と異なる色を有する光輝性顔料を配合したインキで形成され、第２の印刷画像は、第１の印刷画像上の少なくとも一部に透明性インキで重ね刷りして形成され、第２の印刷画像は、ｎ（ｎは３以上の整数）個の領域に分割して形成し、ｎ個の領域は、第１の領域、第２の領域、第３の領域、・・・第ｎ−１の領域及び第ｎの領域に分割して形成され、ｎ個に分割された各領域は、第１の万線、第２の万線、・・・第ｎ−１万線及び第ｎの万線（ｎは３以上）に振り分けられた印刷物である。【選択図】  図１
2013111783.tif 000002
【特許請求の範囲】
【請求項１】
基材上に印刷画像を形成し、
前記印刷画像は、第１の印刷画像と第２の印刷画像を有し、
前記第１の印刷画像は、前記基材と異なる色を有する光輝性顔料を配合したインキで形成され、
前記第２の印刷画像は、前記第１の印刷画像上の少なくとも一部に透明性インキで重ね刷りして形成され、
前記第２の印刷画像は、ｎ（ｎは３以上の整数）個の領域に分割して形成し、前記ｎ個の領域は、第１の領域、第２の領域、第３の領域、・・・第ｎ−１の領域及び第ｎの領域に分割して形成され、
前記ｎ個に分割された各領域は、５０μｍ〜２００μｍの画線が複数配置された第１の万線、第２の万線、・・・第ｎ−１万線及び第ｎの万線（ｎは３以上）に振り分けられ、
前記第１の領域の少なくとも一部が隣接するように前記第２の領域が形成され、前記第２の領域の少なくとも一部が隣接するように前記第３の領域が形成され、・・・前記第ｎ−１の領域の少なくとも一部が隣接するように前記第ｎの領域が形成され、前記万線画線の配列方向は前記第１の領域、前記第２の領域、前記第３の領域、・・・前記第ｎ−１の領域及び前記第ｎの領域ごとに異なる方向に配列され、前記万線画線の配列方向は、前記第１の領域の第１の万線の配列方向の角度をα１、前記第２の領域の第２の万線の配列方向の角度をα２、前記第３の領域の第３の万線の配列方向の角度をα３、・・・前記第ｎ−１の領域の第ｎ−１万線の配列方向の角度をαｎ−１、前記第ｎの領域の第ｎの万線の配列方向の角度をαｎとした場合に、α１＜α２＜α３＜・・・＜αｎ−１＜αｎ又はα１＞α２＞α３＞・・・＞αｎ−１＞αｎの条件を満たすことを特徴とする印刷物であって、
前記印刷物を第１の角度で観察した場合に第１の印刷画像が視認され、第２の角度から徐々に傾けて観察した場合に前記第２の印刷画像の濃度が連続的に変化して視認されることを特徴とする真偽判別可能な印刷物。
【請求項２】
前記隣接する状態が、前記第１の領域の周囲を囲むように前記第２の領域が形成され、前記第２の領域の周囲を囲むように前記第３の領域が形成され、・・・前記第ｎ−１の領域の周囲を囲むように前記第ｎの領域が形成されたことを特徴とする請求項１記載の真偽判別可能な印刷物。
【請求項３】
前記第１の万線画線、前記第２の万線画線、・・・第ｎ−１の万線画線及び前記第ｎの万線画線（ｎは３以上）は、等間隔の直万線パターンで画線と非画線部の割合が１：２〜２：１の範囲であることを特徴とする請求項１又は２記載の真偽判別可能な印刷物。
【請求項４】
前記第１の印刷画像の網点面積率は、５０％〜１００％の面積率の範囲で、網点面積率の差が１５％以上５０％以下の範囲で第１の階調画像が形成されていたことを特徴とする請求項１乃至３のいずれか一項記載の真偽判別可能な印刷物。
【請求項５】
前記ｎ個の領域の輪郭が、画線によって形成されたことを特徴とする請求項１乃至４のいずれか一項記載の真偽判別可能な印刷物。
【請求項６】
第１の印刷画像は、
ｉ）網点形状の大小及び疎密、
ｉｉ）万線形状の太細及び疎密、
ｉｉｉ）波線形状の太細及び疎密、
ｉｖ）破線形状の太細及び疎密、
前記ｉ）乃至ｉｖ）のいずれか一つによって形成されていることを特徴とする請求項１乃至５のいずれか一項記載の真偽判別可能な印刷物。
【請求項７】
前記第１の印刷画像は、アルミニウム粉末、銅粉末、亜鉛粉末、錫粉末、真鍮粉末又はリン化鉄のいずれかの光輝性顔料を配合したインキで形成することを特徴とする請求項１乃至６のいずれか一項記載の真偽判別可能な印刷物。
【請求項８】
前記第２の印刷画像を形成する透明性インキは、透明ニス、インキワニス、透明インキ又はメジウムインキのいずれかであることを特徴とする請求項１乃至７のいずれか一項記載の真偽判別可能な印刷物。
【請求項９】
前記透明性インキは、蛍光材料又は赤外線吸収性材料を含むことを特徴とする請求項１乃至８のいずれか一項記載の真偽判別可能な印刷物。
【請求項１０】
前記第２の印刷画像は、１０〜１５０μｍの盛り上がりを有することを特徴とする請求項１乃至９のいずれか一項記載の真偽判別可能な印刷物。
【発明の詳細な説明】
【技術分野】
【０００１】
本発明は、偽造防止効果を必要とするセキュリティ印刷物である銀行券、パスポート、有価証券、身分証明書、カード、通行券等の貴重印刷物の分野において、観察角度によって異なる画像が確認されることによって真偽判別を可能とする印刷物に関するものである。
【背景技術】
【０００２】
銀行券、パスポート、有価証券、身分証明書、カード、通行券等の貴重印刷物は、その価値を保証・維持するために、偽造防止技術が施されている。そのため、このような貴重印刷物には、複写機での再現が困難な干渉マイカ、酸化フレークマイカ、顔料コートアルミニウムフレーク、光学的変化フレーク等の特殊な光輝性材料を配合したインキで印刷が施され、複写防止、真偽判別が行なわれている。
【０００３】
例えば、光輝性材料を配合したインキで印刷された印刷物としては、シート状又は帯状の支持体の凹凸表面に光輝性領域が設けられるとともに、その光輝性領域の少なくとも一部に、光輝性領域と同一・同質及び／又は異質の他の光輝性領域がインキにより積層して形成された偽造防止用表示体であって、支持体の凹凸表面に形成された光輝性領域が支持体表面の凹凸によって入射光に対して乱反射を示し、その光輝性領域の上面に積層した他の光輝性領域が平坦面によって入射光に対して正反射を示すことを特徴とする偽造防止用表示体とその製法が開示されている（特許文献１参照）。
【０００４】
また、基材に基材の平滑度より高い少なくとも一つの情報パターンを形成し、情報パターン上及びその周辺の背景領域は、金属光沢インキによって刷り重ねて金属光沢インキ領域が形成され、金属光沢インキ領域は、情報パターンに刷り重ねられた金属光沢情報パターン領域と、背景領域に刷り重ねられた金属光沢背景領域に区分けされてなる偽造防止印刷物が開示されている（特許文献２参照）。
【０００５】
また、最近では、貴重印刷物には、意匠性を保ちつつ、偽造防止効果の高い偽造防止要素及び印刷技術が望まれている。例えば、第１の視認性情報の情報画像領域及び背景画像領域の一方に、密な基材隠蔽率の光輝性隠蔽層を形成し、他方に、疎な基材隠蔽率の光輝性隠蔽層を形成するとともに、第２の視認性情報の情報画像領域及び背景画像領域の両領域に、密な基材隠蔽率の光輝性隠蔽層を形成し、該密な光輝性隠蔽層の少なくとも一部分に可視光吸収性の高い極めて疎な隠蔽率の隠蔽層を形成することによって、観察角度を変化させることで視認性情報が変化する偽造防止用情報担持体が開示されている（特許文献３参照）。
【０００６】
また、基材と、基材の一表面上の印刷画像領域全面に基材と異なる色を有する光輝性材料で形成された第１の印刷画像と、印刷画像領域内の少なくとも一部に透明性材料から形成された第２の印刷画像を備え、第１の印刷画像上に第２の印刷画像を形成することを特徴とする偽造防止用情報担持体が開示されている（特許文献４参照）。
【先行技術文献】
【特許文献】
【０００７】
【特許文献１】特許第３４４９６９０号公報
【特許文献２】特許第４５９０６１４号公報
【特許文献３】特許第３３９８７５８号公報
【特許文献４】特許第４６０４２０９号公報
【発明の概要】
【発明が解決しようとする課題】
【０００８】
特許文献１は、下地と情報パターンの両方を光輝性インキで形成し、情報パターンの明暗が変化するか否かによって、その貴重品が本物か否か真偽判別されるものである。しかしながら、光輝性インキは高コストであるため、実際に得られる印刷物も高コストであった。さらに、下地と情報パターンの両方を光輝性インキで印刷するため、下地と情報パターンの光沢差が少ないものとなり、情報パターンの視認性は優れるものではなく、改良の余地があった。特許文献１及び２は、所定の観察角度によって特定の画像のみが出現する印刷物であり、偽造防止、真偽判別効果を向上させるために、特許文献３及び４のようにある特定の画像から観察角度を異ならせることによって別の画像が出現する技術が求められている。しかしながら、特許文献３及び４は、二つの画像がスイッチする印刷物であって、複雑な濃度階調を有した画像が潜像画像として出現することで偽造防止、真偽判別効果を向上させることが求められている。また、印刷物自体の構成が複雑であっても作製が容易であることが求められている。
【０００９】
本発明は、前述した課題の解決を目的とするものであり、製造の難易度が低く、かつ、安定した連続製造が可能で、印刷物を第１の角度で観察した場合に第１の印刷画像が視認され、第２の角度から徐々に傾けて観察した場合に第２の印刷画像の濃度が連続的に変化することで動画的に視認されることを特徴とする、画像のチェンジ効果に優れた真偽判別可能な印刷物に関わるものである。
【課題を解決するための手段】
【００１０】
本発明は、基材上に印刷画像を形成し、印刷画像は、第１の印刷画像と第２の印刷画像を有し、第１の印刷画像は、基材と異なる色を有する光輝性顔料を配合したインキで形成され、第２の印刷画像は、第１の印刷画像上の少なくとも一部に透明性インキで重ね刷りして形成され、第２の印刷画像は、ｎ（ｎは３以上の整数）個の領域に分割して形成し、ｎ個の領域は、第１の領域、第２の領域、第３の領域、・・・第ｎ−１の領域及び第ｎの領域に分割して形成され、ｎ個に分割された各領域は、５０μｍ〜２００μｍの画線が複数配置された第１の万線、第２の万線、・・・第ｎ−１万線及び第ｎの万線（ｎは３以上）に振り分けられ、第１の領域の少なくとも一部が隣接するように第２の領域が形成され、第２の領域の少なくとも一部が隣接するように第３の領域が形成され、・・・第ｎ−１の領域の少なくとも一部が隣接するように第ｎの領域が形成され、万線画線の配列方向は第１の領域、第２の領域、第３の領域、・・・第ｎ−１の領域及び第ｎの領域ごとに異なる方向に配列され、万線画線の配列方向は、第１の領域の第１の万線の配列方向の角度をα１、第２の領域の第２の万線の配列方向の角度をα２、第３の領域の第３の万線の配列方向の角度をα３、・・・第ｎ−１の領域の第ｎ−１万線の配列方向の角度をαｎ−１、第ｎの領域の第ｎの万線の配列方向の角度をαｎとした場合に、α１＜α２＜α３＜・・・＜αｎ−１＜αｎ又はα１＞α２＞α３＞・・・＞αｎ−１＞αｎの条件を満たすことを特徴とする印刷物であって、印刷物を第１の角度で観察した場合に第１の印刷画像が視認され、第２の角度から徐々に傾けて観察した場合に第２の印刷画像の濃度が連続的に変化して視認されることを特徴とする。
【００１１】
また、本発明は、隣接する状態が、第１の領域の周囲を囲むように第２の領域が形成され、第２の領域の周囲を囲むように第３の領域が形成され、・・・第ｎ−１の領域の周囲を囲むように第ｎの領域が形成されたことを特徴とする。
【００１２】
また、本発明の第１の万線画線、第２の万線画線、・・・第ｎ−１の万線画線及び第ｎの万線画線（ｎは３以上）は、等間隔の直万線パターンで画線と非画線部の割合が１：２〜２：１の範囲であることを特徴とする。
【００１３】
また、本発明の第１の印刷画像の網点面積率は、５０％〜１００％の面積率の範囲で、網点面積率の差が１５％以上５０％以下の範囲で第１の階調画像が形成されていたことを特徴とする。
【００１４】
また、本発明は、ｎ個の領域の輪郭が、画線によって形成されたことを特徴とする。
【００１５】
また、本発明の第１の印刷画像は、ｉ）網点形状の大小及び疎密、ｉｉ）万線形状の太細及び疎密、ｉｉｉ）波線形状の太細及び疎密、ｉｖ）破線形状の太細及び疎密、ｉ）乃至ｉｖ）のいずれか一つによって形成されていることを特徴とする。
【００１６】
また、本発明の第１の印刷画像は、アルミニウム粉末、銅粉末、亜鉛粉末、錫粉末、真鍮粉末又はリン化鉄のいずれかの光輝性顔料を配合したインキで形成することを特徴とする。
【００１７】
また、本発明の第２の印刷画像を形成する透明性インキは、透明ニス、インキワニス、透明インキ又はメジウムインキのいずれかであることを特徴とする。
【００１８】
また、本発明の透明性インキは、蛍光材料又は赤外線吸収性材料を含むことを特徴とする。
【００１９】
また、本発明の第２の印刷画像は、１０〜１５０μｍの盛り上がりを有することを特徴とする。
【発明の効果】
【００２０】
本発明の真偽判別可能な印刷物は、印刷物を第１の角度で観察した場合に第１の印刷画像が視認され、第２の角度から徐々に傾けて観察した場合に第２の印刷画像の濃度が連続的に変化することで動画的に視認されることを特徴とする、画像のチェンジ効果に優れているため、偽造防止、真偽判別効果に優れる。
【００２１】
本発明の真偽判別可能な印刷物は、生産性の高い印刷方式であるオフセット印刷で製造可能であることからコストパフォ−マンスに優れ、厳密に刷り合わせを制御する必要がなく、製造の難易度が低く、かつ、安定した連続製造が可能である。
【図面の簡単な説明】
【００２２】
【図１】本発明における真偽判別可能な印刷物（１）を示す図である。
【図２】第２の印刷画像（５）において分割した領域を示す図である。
【図３】真偽判別可能な印刷物（１）を拡散光領域で観察、拡散光領域から正反射光領域に徐々に視点を変えて観察したときの照明光源、視点及び真偽判別可能な印刷物（１）の二つの位置関係を図示したものである。
【図４】真偽判別可能な印刷物（１）の作用を示す図である。
【図５】真偽判別可能な印刷物（１）の作用を示す図である。
【図６】真偽判別可能な印刷物（１）の作用を示す図である。
【図７】本発明における真偽判別可能な印刷物（１−１）を示す図である。
【図８】真偽判別可能な印刷物（１−１）の作用を示す図である。
【図９】真偽判別可能な印刷物（１−１）の作用を示す図である。
【図１０】真偽判別可能な印刷物（１−１）の作用を示す図である。
【図１１】第２の印刷画像（５、５−１）の変形例を示す図である。
【図１２】第２の印刷画像（５、５−１）の変形例を示す図である。
【図１３】第２の印刷画像（５、５−１）の変形例を示す図である。
【図１４】第２の印刷画像（５、５−１）の変形例を示す図である。
【図１５】第２の印刷画像（５、５−１）の変形例を示す図である。
【図１６】本発明における真偽判別可能な印刷物（１−２）を示す図である。
【図１７】真偽判別可能な印刷物（１−２）の作用を示す図である。
【図１８】真偽判別可能な印刷物（１−２）の作用を示す図である。
【図１９】真偽判別可能な印刷物（１−２）の作用を示す図である。
【図２０】本発明における真偽判別可能な印刷物（１−３）を示す図である。
【図２１】真偽判別可能な印刷物（１−３）の作用を示す図である。
【図２２】真偽判別可能な印刷物（１−３）の作用を示す図である。
【図２３】真偽判別可能な印刷物（１−３）の作用を示す図である。
【発明を実施するための形態】
【００２３】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２４】
（実施の形態１）
図１に、本発明における真偽判別可能な印刷物（１）を示す。真偽判別可能な印刷物（１）は、基材（２）の上に、印刷画像（３）が形成されて成る。印刷画像（３）は、第１の印刷画像（４）と第２の印刷画像（５）を有し、第１の印刷画像（４）は、基材と異なる色を有する光輝性顔料を配合したインキで形成される。図１に示す第１の印刷画像（４）は、所定の観察状態で第一の有意情報である「円」の図柄が視認できる例を示す。第２の印刷画像（５）は、第１の印刷画像（４）上の少なくとも一部に透明性インキで重ね刷りして形成される。図１に示す第２の印刷画像（５）は、所定の観察状態で第二の有意情報である動画的な「円」の図柄が視認できる例を示す。さらに、詳細に第２の印刷画像（５）を説明する。
【００２５】
図２は、第２の印刷画像（５）において分割した領域を示す図である。第２の印刷画像（５）は、第１の領域（５ａ）、第２の領域（５ｂ）及び第３の領域（５ｃ）の三つの領域に分割されている。第２の印刷画像（５）は、これに限定されることなく、ｎ（ｎは３以上の整数）個の領域に分割することができ、ｎ個の領域は、第１の領域、第２の領域、第３の領域、・・・第ｎ−１の領域及び第ｎの領域に分割して形成することができる。さらに、第１の領域（５ａ）、第２の領域（５ｂ）及び第３の領域（５ｃ）の領域は、画線（７）及び非画線（８）が交互に配列された第１の万線画線（６ａ）、第２の万線画線（６ｂ）及び第３の万線画線（６ｃ）が形成される。第１の万線画線（６ａ）、第２の万線画線（６ｂ）及び第３の万線画線（６ｃ）は、万線画線ごとに配列方向（角度）が相違している。一例を図２に示すように、第１の領域（５ａ）を形成する第１の万線画線（６ａ）の配列方向を０度とした場合、第２の領域（５ｂ）を形成する第２の万線画線（６ｂ）の配列方向は４５度、第３の領域（５ｃ）を形成する第３の万線画線（６ｃ）の配列方向は９０°としている。また、第１の万線画線（６ａ）、第２の万線画線（６ｂ）及び第３の万線画線（６ｃ）の配列方向を０°、４５°、９０°としているが本発明はこれに限定されることなく、第１の万線画線（６ａ）＜第２の万線画線（６ｂ）＜第３の万線画線（６ｃ）、又は、第３の万線画線（６ｃ）＜第２の万線画線（６ｂ）＜第１の万線画線（６ａ）の角度の条件を満足すればよい。つまり、隣り合った領域ごとに万線の配列方向（角度）は、徐々に異ならせる必要がある。図２では、第１の万線画線（６ａ）乃至第３の万線画線（６ｃ）の配列方向を左回りに形成しているが、第１の万線画線（６ａ）乃至第３の万線画線（６ｃ）の配列方向を右回りに形成しても良い。第１の万線画線（６ａ）、第２の万線画線（６ｂ）及び第３の万線画線（６ｃ）は、５０μｍ〜２００μｍの画線が一定のピッチで複数配列される。５０μｍ〜２００μｍの画線の範囲については、５０μｍ以下の画線は、作製上困難であり、２００μｍ以上であると下記の効果を得られ難くなる問題が生じる。また、第１の万線画線（６ａ）、第２の万線画線（６ｂ）及び第３の万線画線（６ｃ）の画線は、等間隔の直万線パターンで画線と非画線部の割合が１：２〜２：１の範囲であることが好ましい。また、第１の万線画線（６ａ）、第２の万線画線（６ｂ）及び第３の万線画線（６ｃ）は、それぞれ画線の太さを異ならせてもよい。図２に示した各領域が万線画線で形成された第２の印刷画像（５）は、第１の印刷画像（４）上に重ね刷りされて真偽判別可能な印刷物（１）が得られる。
【００２６】
図３は、真偽判別可能な印刷物（１）を拡散光領域で観察、拡散光領域から正反射光領域に徐々に視点を変えて観察したときの照明光源、視点及び真偽判別可能な印刷物（１）の二つの位置関係を図示したものである。照明光源（２１ａ）と視点（２２ａ）と真偽判別可能な印刷物（１）が位置関係（ａ）にあるとき、拡散光領域で観察したことになり、照明光源（２１ｂ）と視点（２２ｂ）と真偽判別可能な印刷物（１）が位置関係（ｂ）にあるとき、拡散光領域から正反射光領域に徐々に視点を変えて観察したことになる。
【００２７】
図４乃至６に真偽判別可能な印刷物（１）の作用を示す。図４に示すように拡散光領域で観察する場合、第１の印刷画像（４）である「円」の図柄のみが視認できる。この原理は、拡散光領域で第２の印刷画像は、第１の印刷画像上に透明性インキで重ね刷りして形成されているため、視認することができず、第１の印刷画像（４）のみが視認できることとなる。
【００２８】
図５に示すように拡散光が正反射光よりも強い領域では、第１の印刷画像（４）である「円」の図柄内に第２の印刷画像（５）である「円」の図柄が一定の濃度で視認される。
【００２９】
図６に示すように拡散光より正反射光の方が強い領域に視点を変えて観察するに従って、図６（ａ）、図６（ｂ）及び図６（ｃ）の順に視認される。図６（ａ）に示すように第１の印刷画像（４）である「円」の図柄内の第２の印刷画像（５）のうち、第３の万線画線（６ｃ）の配列方向が９０°又は２７０°である第３の領域（５ｃ）の反射光量は、第１の領域（５ａ）及び第２の領域（５ｂ）の反射光量よりも上回る。よって、第３の領域（５ｃ）は、第１の領域（５ａ）及び第２の領域（５ｂ）よりも明るく視認される。図６（ｂ）に示すように第２の万線画線（６ｃ）の配列方向が４５°又は１３５°である第１の印刷画像（４）である「円」の図柄内の第２の印刷画像（５）のうち、第２の領域（５ｂ）の反射光量は、第１の領域（５ａ）及び第３の領域（５ｃ）の反射光量よりも上回る。よって、第２の領域（５ｂ）は、第１の領域（５ａ）及び第３の領域（５ｃ）よりも明るく視認される。図６（ｃ）に示すように第１の印刷画像（４）である「円」の図柄内の第２の印刷画像（５）のうち、第１の万線画線（６ａ）の配列方向が０°である第１の領域（５ａ）の反射光量は、第２の領域（５ｂ）及び第３の領域（５ｃ）の反射光量よりも上回る。よって、第１の領域（５ａ）は、第２の領域（５ｂ）及び第３の領域（５ｃ）よりも明るく視認される。
【００３０】
この原理は、第１の領域（５ａ）、第２の領域（５ｂ）及び第３の領域（５ｃ）の領域は、それぞれの万線画線の配列方向が異なった第１の万線画線（６ａ）、第２の万線画線（６ｂ）及び第３の万線画線（６ｃ）で形成されているため、それぞれの領域（５ａ、５ｂ、５ｃ）を形成する万線画線（６ａ、６ｂ、６ｃ）における正反射光量及び拡散光量に差が生じる。このように拡散光領域から正反射光領域に徐々に視点を変えて観察する場合、各領域の万線画線の配列方向が異なっているため、各領域を形成する万線画線の反射光量に差が生じ、第１の領域（５ａ）から第３の領域（５ｃ）に向かうに従い、明暗が徐々に変化するため、第２の印刷画像（５）が躍動感を有して動画的に視認できる。図面では、第１の領域（５ａ）から第３の領域に（５ｃ）向かうに従い、明暗が徐々に変化しているが、観察の仕方によっては、第３の領域（５ｃ）から第１の領域（５ａ）に向かうに従い、明暗が徐々に変化して視認される。さらに、印刷物を傾けなくとも、スポット光等の入射光の角度を連続的に変化させることによって本発明の効果を奏することができる。
【００３１】
（実施の形態２）
実施の形態２は、実施の形態１の真偽判別可能な印刷物（１）と異なる点を説明する。図７に、本発明における真偽判別可能な印刷物（１−１）を示す。真偽判別可能な印刷物（１−１）は、基材（２−１）の上に、印刷画像（３−１）が形成されて成る。印刷画像（３−１）は、第１の印刷画像（４−１）と第２の印刷画像（５−１）を有し、第１の印刷画像（４−１）は、基材と異なる色を有する光輝性顔料を配合したインキで形成される。図７（ｂ）に示す第１の印刷画像（４−１）は、所定の観察状態で第一の有意情報である背景と「Ａ」の文字が視認できる例を示す。第１の印刷画像（４−１）は、ｉ）網点形状の大小及び疎密、ｉｉ）万線形状の太細及び疎密、ｉｉｉ）波線形状の太細及び疎密、ｉｖ）破線形状の太細及び疎密、ｉ）乃至ｉｖ）のいずれか一つによって形成される。第１の印刷画像（４−１）の網点面積率は、５０％〜１００％の面積率の範囲で、網点面積率の差が１５％以上５０％以下の範囲で濃度階調が形成されることを特徴とする。網点面積率及び網点面積率の差が範囲内でないと正反射光下でも第１の印刷画像（４−１）が視認されてしまうため、画像スイッチの効果を得ることができない問題が生じる。第１の印刷画像（４−１）の「Ａ」の文字は連続階調画像で形成していないが、本発明は、これに限定されることなく、連続階調画像であってもよい。図７（ｃ）に示す第２の印刷画像（５−１）は、第１の印刷画像（４−１）上の少なくとも一部に透明性インキで重ね刷りして形成される。第２の印刷画像（５−１）は、所定の観察状態で第二の有意情報である動画的な「円」の図柄が視認できる例を示す。第２の印刷画像（５−１）の構成は、図２で示した構成と同一である。
【００３２】
図８乃至１０に真偽判別可能な印刷物（１−１）の作用を示す。図８に示すように拡散光領域で観察する場合、第１の印刷画像（４）である背景と「Ａ」の文字が視認できる。この原理は、拡散光領域で第２の印刷画像は、第１の印刷画像上に透明性インキで重ね刷りして形成されているため、視認することができず、第１の印刷画像（４）のみが視認できることとなる。
【００３３】
図９に示すように拡散光が正反射光よりも強い領域では、「Ａ」の文字は視認され難くなり、第１の印刷画像（４−１）の一定濃度となった第１の印刷画像（４−１）である「円」の図柄内に第２の印刷画像（５−１）である「円」の図柄が一定の濃度で視認される。
【００３４】
図１０に示すように拡散光より正反射光の方が強い領域に視点を変えて観察するに従って、図１０（ａ）、図１０（ｂ）及び図１０（ｃ）の順に視認される。図１０（ａ）に示すように第１の印刷画像（４−１）である「円」の図柄内の第２の印刷画像（５−１）のうち、第３の万線画線（６ｃ−１）の配列方向が９０°又は２７０°である第３の領域（５ｃ−１）の反射光量は、第１の領域（５ａ−１）及び第２の領域（５ｂ−１）の反射光量よりも上回る。よって、第３の領域（５ｃ−１）は、第１の領域（５ａ−１）及び第２の領域（５ｂ−１）よりも明るく視認される。図６（ｂ）に示すように第２の万線画線（６ｃ−１）の配列方向が４５°又は１３５°である第１の印刷画像（４−１）である「円」の図柄内の第２の印刷画像（５−１）のうち、第２の領域（５ｂ−１）の反射光量は、第１の領域（５ａ−１）及び第３の領域（５ｃ−１）の反射光量よりも上回る。よって、第２の領域（５ｂ−１）は、第１の領域（５ａ−１）及び第３の領域（５ｃ−１）よりも明るく視認される。図６（ｃ）に示すように第１の印刷画像（４−１）である「円」の図柄内の第２の印刷画像（５−１）のうち、第１の万線画線（６ａ−１）の配列方向が０°である第１の領域（５ａ−１）の反射光量は、第２の領域（５ｂ−１）及び第３の領域（５ｃ−１）の反射光量よりも上回る。よって、第１の領域（５ａ−１）は、第２の領域（５ｂ−１）及び第３の領域（５ｃ−１）よりも明るく視認される。
【００３５】
実施の形態１及び２で示した第２の印刷画像（５、５−１）を形成する第２の領域（５、５ｂ−１）及び第３の領域（５ｃ、５ｃ−１）は、円で形成されているが本発明は円形状に限定されることなく、例えば、図１１（ａ）に示すように三角形、図１１（ｂ）に示すように四角形、図１１（ｃ）に示すようにロゴマーク等、任意の形状を選択できる。
【００３６】
また、第２の印刷画像（５、５−１）を形成する第１の領域（５ａ、５ａ−１）、第２の領域（５ｂ、５ｂ−１）及び第３の領域（５ｃ、５ｃ−１）は、一定間隔の波紋形状で形成しているが、本発明はこれに限定されることなく、例えば、図１２（ａ）に示すように、第２の印刷画像は、上側に広がる波紋形状、図１２（ｂ）に示すように、第２の印刷画像は、下側に広がる波紋形状、図１２（ｃ）に示すように、第２の印刷画像は、右側に広がる波紋形状、図１２（ｄ）に示すように、第２の印刷画像は、左側に広がる波紋形状であってもよい。
【００３７】
また、第２の印刷画像（５、５−１）を形成する第１の領域（５ａ、５ａ−１）、第２の領域（５ｂ、５ｂ−１）及び第３の領域（５ｃ、５ｃ−１）の形状は、全て同じ形状としているが、本発明はこれに限定されることなく、図１３（ａ）に示すように第１の領域（５ａ、５ａ−１）が円形状で第３の領域（５ｃ、５ｃ−１）に向かうに従って楕円形状に変形していく形態であってもよく、この場合、隣り合った領域を形状が近似している必要があり、観察角度によって形状が徐々に円から楕円又は楕円から円に変化し観察することができる。また、図１３（ｂ）に示すように第１の領域（５ａ、５ａ−１）、第２の領域（５ｂ、５ｂ−１）及び第３の領域（５ｃ、５ｃ−１）の形状が全く相関のない形状であってもよい。ただし、図１３（ｂ）の形態は、動画的効果を得る難いものとなる。
【００３８】
また、第２の印刷画像（５、５−１）を形成する第１の領域（５ａ、５ａ−１）、第２の領域（５ｂ、５ｂ−１）及び第３の領域（５ｃ、５ｃ−１）は、第１の領域（５ａ、５ａ−１）内に第２の領域（５ｂ、５ｂ−１）が形成され、第２の領域（５ｂ、５ｂ−１）内に第３の領域（５ｃ、５ｃ−１）が形成されているが、本発明はこれに限定されることなく、図１４（ａ）に示すように第１の領域（５ａ、５ａ−１）、第２の領域（５ｂ、５ｂ−１）及び第３の領域（５ｃ、５ｃ−１）が、それぞれ隣接している形状であってもよい。また、図１４（ｂ）に示すように第１の領域（５ａ、５ａ−１）、第２の領域（５ｂ、５ｂ−１）及び第３の領域（５ｃ、５ｃ−１）が、それぞれ近接している形状であってもよい。ここで言う、隣接とは第１の領域（５ａ、５ａ−１）、第２の領域（５ｂ、５ｂ−１）又は第３の領域（５ｃ、５ｃ−１）の少なくとも一部が接していること、又は領域の少なくとも一部が重なり合って接していることであり、近接とは、第１の領域（５ａ、５ａ−１）、第２の領域（５ｂ、５ｂ−１）及び第３の領域（５ｃ、５ｃ−１）が接してはいないが近くにあることを言う。本発明の近接の距離、つまり、各領域間の距離は５ｍｍ以下が好ましい。
【００３９】
本発明の真偽判別可能な印刷物は、上記に説明した図１１乃至図１４の形態を組み合わせることが可能である。
【００４０】
図１５（ａ）に示すように第２の印刷画像（５、５−１）を形成する第１の領域（５ａ、５ａ−１）、第２の領域（５ｂ、５ｂ−１）及び第３の領域（５ｃ、５ｃ−１）の輪郭（９ａ、９ｂ、９ｃ）は、画線によって形成しているが、図１５（ｂ）に示すように輪郭（９ａ、９ｂ、９ｃ）は、画線を形成しなくても本発明の効果を奏することができる。
【００４１】
第２の印刷画像（５、５−１）を形成する第１の領域（５ａ、５ａ−１）、第２の領域（５ｂ、５ｂ−１）及び第３の領域（５ｃ、５ｃ−１）の隣り合った領域の画線の成す角度の差が、５度以上４５度以下の範囲であることが望ましい。この範囲内であると第２の印刷画像の濃度が連続的に変化する視認性に優れる。
【００４２】
第１の印刷画像（４、４−１）で用いられる光輝性顔料が、アルミニウム粉末、銅粉末、亜鉛粉、錫粉、又はリン化鉄などを成分とする銀色、青味金色又は赤味金色を示すいずれかの光輝性顔料を配合したインキであり、これらのインキは、紫外線硬化型インキや酸化重合型インキに限定するものではなく、浸透型インキ、過熱乾燥インキ、蒸発乾燥インキなどの印刷インキであってもよい。
【００４３】
第２の印刷画像（５、５−１）で用いられるに透明性インキは、着色顔料を使用しない透明なニス、インキワニス、透明インキ又はメジウムインキのいずれかであり、これらのインキは、紫外線硬化型インキや酸化重合型インキに限定するものではなく、浸透型インキ、過熱乾燥インキ、蒸発乾燥インキなどの印刷インキであってもよい。また、本発明の透明性インキは、蛍光材料又は赤外線吸収性材料を含有させることによって偽造防止及び真偽判別効果が向上する。また、多少の着色顔料を含有させても本発明の効果を得ることができる。
【００４４】
基材は、白色用紙に限定するものではなく、上質紙、コート紙、プラスチックカードなどの印刷画像を担持できる平面を有していればよい。
【００４５】
印刷方式は、ウェットオフセット印刷、ドライオフセット印刷、凸版印刷、水無平版印刷、グラビア印刷、フレキソ印刷、スクリーン印刷、凹版印刷又はプリンタなど特に限定されるものではない。
【００４６】
以下、前述の発明を実施するため形態に従って、具体的に作製した真偽判別可能な印刷物の実施例について詳細に説明するが、本発明は、この実施例に限定されるものではない。
（実施例１）
【００４７】
図１６は、第１の実施例である真偽判別可能な印刷物（１−２）である。真偽判別可能な印刷物（１−２）は、基材である白色のコート紙（２−２）上の一部分に、第１の印刷画像（４−２）を、光輝性顔料を配合したインキである紫外線硬化型の金属光沢インキ「Ｔ＆Ｋ  ＴＯＫＡ  ＵＶ  ＮＯ３  シルバー」を用いて、ウェットオフセット印刷によって網点面積率１００％で「円」の図柄を印刷した。次に、第１の印刷画像（４−２）の「円」の図柄上に第２の印刷画像（５−２）を、酸化重合型の透明ニスである「Ｎｅｗ  Ｃｈａｍｐｉｏｎ  マット  ＯＰニス」を用いて、ウェットオフセット印刷によって画線部１００μｍ、非画線部１００μｍで「円」の図柄を重ね刷りした。
【００４８】
図１６に示すように、第２の印刷画像（５−２）は、第１の領域（５ａ−２）、第２の領域（５ｂ−２）及び第３の領域（５ｃ−２）の三つの領域に分割した。第２の印刷画像（５−２）を形成する第１の領域（５ａ−２）、第２の領域（５ｂ−２）及び第３の領域（５ｃ−２）は、第１の領域（５ａ−２）内に第２の領域（５ｂ−２）を形成し、第２の領域（５ｂ−２）内に第３の領域（５ｃ−２）を形成した。第１の領域（５ａ−２）、第２の領域（５ｂ−２）及び第３の領域（５ｃ−２）の領域内は、万線画線で形成し、さらに、第１の領域（５ａ−２）を形成する第１の万線画線（６ａ−２）の配列方向を０°とした場合、第２の領域（５ｂ−２）を形成する第２の万線画線（６ｂ−２）の配列方向は４５°、第３の領域（５ｃ−２）を形成する第３の万線画線（６ｃ−２）の配列方向は９０°として形成した。
【００４９】
図１７に示すように真偽判別可能な印刷物（１−２）を拡散光領域で観察する場合、第１の印刷画像（４−２）である「円」の図柄が視認でき、図１８に示すように拡散光が正反射光よりも強い領域では、第１の印刷画像（４−２）である「円」の図柄内に第２の印刷画像（５−２）である「円」の図柄が一定の濃度で視認できた。
【００５０】
図１９に示すように拡散光より正反射光の方が強い領域に視点を変えて観察するに従って、図１９（ａ）、図１９（ｂ）及び図１９（ｃ）の順に視認された。図１９（ａ）に示すように第１の印刷画像（４−２）である「円」の図柄内の第２の印刷画像（５−２）のうち、万線画線の配列方向が９０°である第３の領域（５ｃ−２）が最も明るく視認された。次に、図１９（ｂ）に示すように万線画線の配列方向が４５°である第２の領域（５ｂ−２）が最も明るく視認された。次に、図１９（ｃ）に示すように万線画線の配列方向が０°である第１の領域（５ａ−２）が最も明るく視認された。このように第１の領域（５ａ−２）、第２の領域（５ｂ−２）及び第３の領域（５ｃ−２）が順に濃度変化することによって第２の印刷画像が躍動感のある動画のように視認できた。
（実施例２）
【００５１】
図２０（ａ）は、第２の実施例である真偽判別可能な印刷物（１−３）である。真偽判別可能な印刷物（１−３）は、図２０（ｂ）に示すように基材である白色のコート紙（２−３）上の一部分に、第１の印刷画像（４−３）を、光輝性顔料を配合したインキである紫外線硬化型の金属光沢インキ「Ｔ＆Ｋ  ＴＯＫＡ  ＵＶ  ＮＯ３  シルバー」を用いて、ウェットオフセット印刷によって網点面積率６０％〜１００％まで使用した背景と「Ａ」の文字を印刷した。次に、図２０（ｃ）に示す第２の印刷画像（５−３）を第１の印刷画像（４−３）の図柄上に、酸化重合型の透明ニスである「Ｎｅｗ  Ｃｈａｍｐｉｏｎ  マット  ＯＰニス」を用いて、ウェットオフセット印刷によって画線部１２０μｍ、非画線部１２０μｍで「円」の図柄を重ね刷りした。第２の印刷画像（５−３）の構成は、実施例１の第２の印刷画像（５−２）の構成と同様とした。
【００５２】
図２１に示すように真偽判別可能な印刷物（１−３）を拡散光領域で観察する場合、第１の印刷画像（４−３）である背景と「Ａ」の文字が視認でき、図２２に示すように拡散光が正反射光よりも強い領域では、第１の印刷画像（４−３）の「Ａ」の文字は視認され難くなり、第１の印刷画像（４−３）である「円」の図柄内に第２の印刷画像（５−３）である「円」の図柄が一定の濃度で視認できた。
【００５３】
図２３に示すように拡散光より正反射光の方が強い領域に視点を変えて観察するに従って、図２３（ａ）、図２３（ｂ）及び図２３（ｃ）の順に視認された。図２３（ａ）に示すように第１の印刷画像（４−３）である「円」の図柄内の第２の印刷画像（５−３）のうち、万線画線の配列方向が９０°である第３の領域（５ｃ−３）が最も明るく視認された。次に、図２３（ｂ）に示すように万線画線の配列方向が４５°である第２の領域（５ｂ−３）が最も明るく視認された。次に、図２３（ｃ）に示すように万線画線の配列方向が０°である第１の領域（５ａ−３）が最も明るく視認された。このように第１の領域（５ａ−３）、第２の領域（５ｂ−３）及び第３の領域（５ｃ−３）が順に濃度変化することによって第２の印刷画像が躍動感のある動画のように視認できた。
（実施例３）
【００５４】
実施例１乃至２の第２の印刷画像を、下記の配合のスクリーン印刷用インキを用いてスクリーン印刷機によって、第１の印刷画像上に重ね刷りした。その他の構成は、実施例１及び２と同様である。
顔料                                  １０重量部
（ＳｉＯ２  シリカ粉）
ウレタンアクリレート                  ５０重量部
（日本化薬社製ＵＸ−４１０１）
モノマー                              ３０重量部
（日本化薬社製ＰＥＧ−４００ＤＡ）
開始剤                                  ９重量部
（チバスペシャルティーケミカルズ社製イルガキュア８１９）
禁止剤                              ０．５重量部
（東京化成工業社製メチルヒドロキノン）
消泡剤                              ０．５重量部
（東レ・ダウコーニングシリコン社製ＳＣ５５４０）
第２の印刷画像のインキの盛りは、５０μｍ程度であった。正反射領域で観察する場合、実施例１乃至２よりも第２の画像内に施された潜像画像の視認性が優れる結果であった。
【００５５】
第１乃至３の実施例における真偽判別可能な印刷物をカラーコピー機でコピーした複写物は、オリジナルの真偽判別可能な印刷物とは全く視感性が異なり、光反射性及び観察角度による第１の印刷画像及び第２の印刷画像の変化を示すことはなく、第１乃至３の実施例における真偽判別可能な印刷物は、カラーコピーによる複写に対する複写防止効果にも優れていた。
【符号の説明】
【００５６】
１、１−１、１−２、１−３  真偽判別可能な印刷物
２、２−１、２−２、２−３  基材
３、３−１、３−２、３−３  印刷画像
４、４−１、４−２、４−３  第１の印刷画像
５、５−１、５−２、５−３  第２の印刷画像
５ａ  第１の領域
５ｂ  第２の領域
５ｃ  第３の領域
６ａ  第１の万線画線
６ｂ  第２の万線画線
６ｃ  第３の万線画線
７  画線
８  非画線
９ａ、９ｂ、９ｃ  輪郭
２１ａ、２１ｂ  照明光源
２２ａ、２２ｂ  視点
【図１】
2013111783.tif 000003
【図２】
2013111783.tif 000004
【図３】
2013111783.tif 000005
【図４】
2013111783.tif 000006
【図５】
2013111783.tif 000007
【図６】
2013111783.tif 000008
【図７】
2013111783.tif 000009
【図８】
2013111783.tif 000010
【図９】
2013111783.tif 000011
【図１０】
2013111783.tif 000012
【図１１】
2013111783.tif 000013
【図１２】
2013111783.tif 000014
【図１３】
2013111783.tif 000015
【図１４】
2013111783.tif 000016
【図１５】
2013111783.tif 000017
【図１６】
2013111783.tif 000018
【図１７】
2013111783.tif 000019
【図１８】
2013111783.tif 000020
【図１９】
2013111783.tif 000021
【図２０】
2013111783.tif 000022
【図２１】
2013111783.tif 000023
【図２２】
2013111783.tif 000024
【図２３】
2013111783.tif 000025